(57)【要約】  光起電モジュールが開示される。光起電モジュールは、通常動作中に太陽の方へ向けられる第１の面と、第２の下面と、を有する。光起電モジュールは、外周フレームと、この外周フレームによって少なくとも部分的に囲繞されかつ支持される光起電積層体と、を含む。光起電積層体は、光起電モジュールの第１の面に向かって配置された透明なカバー層と、カバー層の下にあってカバー層に付着する上側封入材層と、上側封入材層の下にあって電気的に相互接続されている複数の光起電太陽電池と、複数の光起電太陽電池の下にある下側封入材層と、複数の光起電太陽電池を囲繞する上側及び下側封入材層と、均質な後部環境保護層と、を備えて構成され、後部環境保護層が下側封入材層に付着して、光起電モジュールの第２の面上の周囲環境に露出されている。【選択図】図３
2014526142.tif 000002
【特許請求の範囲】
【請求項１】
通常動作中に太陽の方を向く第１の面、及び第２の面を有する光起電モジュールであって、前記光起電モジュールは、
外周フレームと、
前記外周フレームによって少なくとも部分的に囲繞されかつ支持された光起電積層体と、を備え、
前記光起電積層体は、
前記光起電モジュールの前記第１の面に向かって配置された透明なカバー層と、
前記カバー層の下にあって前記カバー層に付着する上側封入材層と、
前記上側封入材層の下にあって電気的に相互接続されている複数の光起電太陽電池と、
前記複数の光起電太陽電池の下にある下側封入材層と、
均質な後部環境保護層と、を有し、
前記上側封入材層及び前記下側封入材層は、前記複数の光起電太陽電池を囲繞し、
前記後部環境保護層は、前記下側封入材層に付着し、前記光起電モジュールの前記第２の面側の周囲環境に露出される、光起電モジュール。
【請求項２】
前記後部環境保護層を形成する材料が、フルオロポリマー、ポリビニリデンフルオライド、ポリカーボネート、ポリエステル、ポリプロピレン、ポリフェニレンスルフィド、ポリフェニレンオキシド、ポリアクリレート、ポリアミド、及び、ポリテトラフルオロエチレンからなる群から選択される、請求項１に記載の光起電モジュール。
【請求項３】
前記下側封入材層の体積抵抗率が５０℃にて少なくとも５×１０１３Ωｃｍである、請求項１に記載の光起電モジュール。
【請求項４】
前記下側封入材層が白色を有する、請求項１に記載の光起電モジュール。
【請求項５】
前記下側封入材層が少なくとも部分的にポリエチレンで構成される、請求項３に記載の光起電モジュール。
【請求項６】
前記下側封入材層が少なくとも部分的にポリオレフィンで構成される、請求項３に記載の光起電モジュール。
【請求項７】
前記複数の光起電太陽電池がバックコンタクト型の太陽電池を含む、請求項１に記載の光起電モジュール。
【請求項８】
前記下側封入材層の厚さが６５０マイクロメートル未満である、請求項１に記載の光起電モジュール。
【請求項９】
前記後部環境保護層の厚さが４００マイクロメートル未満である、請求項１に記載の光起電モジュール。
【請求項１０】
前記カバー層が反射防止コーティングを含む、請求項１に記載の光起電モジュール。
【請求項１１】
それぞれの上面が通常動作中に太陽の方を向き、下面が太陽とは反対方向に向く、複数の光起電太陽電池と、
前記複数の光起電太陽電池を包囲し囲繞している封入材層であって、前記複数の光起電太陽電池における間隙に延在する前記封入材層と、
前記複数の光起電太陽電池の前記上面よりも上側であって、前記封入材層上に配設され、前記封入材層に付着する透明なカバー層と、
前記複数の光起電太陽電池の前記下面の下側であって、前記封入材層の下に配設される単層シーリング層と、を備え、
前記単層シーリング層の内面に前記封入材層が付着し、前記単層シーリングの外面は、周囲環境に露出する、光起電積層体。
【請求項１２】
前記単層シーリング層が耐水性を有する、請求項１１に記載の光起電積層体。
【請求項１３】
前記封入材層が、５０℃にて５×１０１３を超える体積抵抗率を有する、請求項１１に記載の光起電積層体。
【請求項１４】
前記封入材層及び前記単層シーリングを組み合わせて、前記複数の光起電太陽電池の前記下面と前記単層シーリングの前記外面との間の電位差が少なくとも１，０００ボルトである場合の、前記複数の光起電太陽電池の前記下面と前記シーリング層の前記外面との間に流れる電流を、１０マイクロアンペア未満にする、請求項１１に記載の光起電積層体。
【請求項１５】
前記単層シーリング及び前記封入材層の少なくとも一部が共押出しによって形成される、請求項１１に記載の光起電積層体。
【請求項１６】
前記単層シーリング層と前記封入材層との間に結合層を更に備える、請求項１１に記載の光起電積層体。
【請求項１７】
前記複数の光起電太陽電池の前記下面と前記単層シーリング層の前記外面との間に配設された前記封入材層の全体の厚さが、６００マイクロメートル未満である、請求項１１に記載の光起電積層体。
【請求項１８】
光起電積層体の後板であって、
前記後板が
均質な封入材層と、
均質な外部層と、
を備え、
前記封入材層及び外部層は共押出しによって一緒に形成され、前記封入材層は前記外部層に付着し、
前記封入材層の抵抗率は５０℃にて少なくとも５×１０１３であり、
前記外部層は耐水性を有し、
前記封入材層の厚さは、少なくとも４００マイクロメートルであり、
前記後板の全体的な厚さは、４００マイクロメートル未満である、後板。
【請求項１９】
前記封入材層が、ポリオレフィン、エチレンビニルアセテート及びシリコーンからなる群から選択される材料から構成される、請求項１８に記載の後板。
【請求項２０】
前記外部層の熱定数が少なくとも０．２Ｗ／（ｍ−Ｋ）である、請求項１８に記載の後板。
【発明の詳細な説明】
【技術分野】
【０００１】
本明細書に記載されている主題の実施形態は一般に、光起電モジュール及び積層体に関する。より詳しくは、主題の実施形態は、抵抗力の高い封入材を有する積層体の構造に関する。
【背景技術】
【０００２】
光起電ソーラーシステムは、電気効率及び変換効率の改善、及び、コスト削減の恩恵を受けている。両方の効果によって、ソーラーシステムで生成されるエネルギーの全体的なコストが有利に削減される。コストを削減するための１つの手段は、システムの複雑さを低減することである。もう１つの方法は、システムの重量を減らすことである。
【０００３】
光起電ソーラーシステムは、別個に構築された、いくつかの光起電モジュールから構成されている。各モジュールは、光起電積層体を含み支持する。システムの重量又は複雑さを低減すれば、システムを改善できる。光起電モジュールに対して、性能、信頼性、安全性、及び製造仕様に適合するように検査を行う。システムコスト又は効率を改善する発明により、光起電モジュールを要求される仕様に適合させることができる。
【０００４】
より完全な本主題の理解は、発明を実施するための形態、及び特許請求の範囲を、以下の図面と併せて考察し、参照することによって導き出すことができ、同様の参照番号は、図面全体を通して同様の要素を指す。
【図面の簡単な説明】
【０００５】
【図１】光起電モジュールの斜視図である。
【図２】図１の光起電モジュールの断面図である。
【図３】光起電積層体の実施形態の横断面が例示されている、図２の光起電モジュールの詳細図である。
【図４】光起電積層体の別の実施形態の横断面の詳細図である。
【図５】光起電積層体の更に別の実施形態の横断面の詳細図である。
【発明を実施するための形態】
【０００６】
以下の発明を実施するための形態は、本質的には、単なる実例に過ぎず、本主題の実施形態、あるいはそのような実施形態の応用及び用途を限定することを意図するものではない。本明細書に用いられている「例示の」という語は、「実施例、実例、又は例示として供する」ことを意味する。本明細書において典型例として記載されているあらゆる実装が必ずしも他の実装よりも好ましい又は有利な実装として解釈されるとは限らない。更には、先行の技術分野、背景技術、概要、若しくは以下の発明を実施するための形態で提示される、明示又は示唆されるいずれの理論によっても、拘束されることを意図するものではない。
【０００７】
「抑制する（Inhibit）」という言葉は、本明細書で使用する場合、効果の低減又は最小化を表すために用いる。構成要素又は機構が、作用、動作、又は状況を抑制すると記載される場合、その結果又は効果又は将来の状態を完全に阻止する場合を含む。更に、「抑制する」という言葉は、効果、性能、及び／又はそうでなければ発生したであろう効果を低減する又は減少させることにも言及する。したがって、構成要素、素子、又は機構について結果又は状態を抑制すると述べる場合、必ずしも結果又は状態を完全に阻止したり、排除したりするものではない。
【０００８】
更に、一部の用語は、参照のためだけに以下の説明に用いることがあり、したがって、制限的であることを意図しない。例えば、「上側」、「下側」、「上方」、及び「下方」などの用語は、参照している図における方向を示す。「正面」、「背面」、「後部」、「側部」、「外側」、及び「内側」などの用語は、説明中の構成要素について記述する本文及び関連図面の参照によって明らかにされる、一貫性はあるが任意の基準系内において、構成要素の一部分の向き及び／又は位置を記述するものである。かかる用語は、特に上述した語、それらの派生語、及び類似の意味の語を含んでよい。同様に、用語「第１の」、「第２の」、及び構造について言及する他のかかる数値的用語は、明確に文脈で示されない限り、順序又は序列を意味しない。
【０００９】
光起電ソーラーシステムで提供されるエネルギーのコストを改善するいくつかの手段は、その構成要素の複雑さを低減することである。それにより、材料及び構築物のコストが削減され、システムのパフォーマンスが改善されるため、システムに改善を施さない場合と比較すると、同じコストでより多くの電力が得られる。また、システム重量の低減は、その運送コストの削減につながる。可能であれば、これらの要因のいくつかに同時に有効とするが望ましい。
【００１０】
以下に、光起電モジュールについて開示する。光起電モジュールは、通常動作中に太陽の方へ向けられる第１の面と、第２の面である下面と、を有する。光起電モジュールは、外周フレームと、この外周フレームによって少なくとも部分的に囲繞されかつ支持される光起電積層体と、を含む。光起電積層体は、光起電モジュールの第１の面に向かって配置された透明なカバー層と、カバー層の下にあってカバー層に付着する上側封入材層と、上側封入材層の下にあって電気的に相互接続されている複数の光起電太陽電池と、複数の光起電太陽電池の下にある下側封入材層と、均質な後部環境保護層とを備え、上側及び下側封入材層は複数の光起電太陽電池を囲繞し、後部環境保護層は下側封入材層に付着し、光起電モジュールの第２の面側の周囲環境に露出されている。
【００１１】
光起電積層体もまた開示されている。光起電積層体は、それぞれの上面が通常動作中に太陽の方を向き、下面が太陽とは反対側に向いた複数の光起電太陽電池と、太陽電池を包囲し囲繞している封入材層であって、太陽電池における間隙に延在する封入材層と、複数の太陽電池の上面よりも上側で封入材層上に配設され、封入材層が付着している透明なカバー層と、複数の太陽電池の下面の下側にありかつ封入材層の下に配設された単層シーリング層（mono-stratum sealing layer）と、を備えており、封入材層は、シーリング層の内面に沿ってシーリング層に付着し、周囲環境に露出された外面を有する。
【００１２】
光起電積層体の後板もまた開示されている。後板は、均質の封入材層と均質の外部層と、を備える。封入材層と均質の外部層は共押出しにより一緒に形成され、封入材層が外部層に付着し、封入材層が少なくとも５×１０１３Ωｃｍの体積抵抗率を有し、外部層が耐水性を有し、封入材層の厚さが少なくとも４００マイクロメートルであり、後板の全体的な厚さが少なくとも４００マイクロメートルである。
【００１３】
光起電積層体は、体積抵抗率が非常に高い封入材を使用し、積層体内の太陽電池を包囲して構成できる。この種の封入材は従来、組成物の特定の態様に付随する難事、例えば、太陽照射時における望ましくない黄変若しくは摩耗、剛性の欠如若しくは過剰、又は生産若しくは加工費の節減不能に遭遇していた。したがって、太陽電池及び封入材の背後に分厚い後板を配置して、後板と組み合わせて封入材を使用していた。後板は、光起電ソーラーモジュールにとって望ましい特性（例えば、環境保護、機械的剛性、電気的絶縁、その他）を呈した。これらは、封入材に欠落している特性であった。
【００１４】
発明者らは、封入材として用いられる特定の種類の材料は、好都合にも、光起電ソーラーモジュールの多数の要件を満たすことを発見した。ポリエチレン又はポリプロピレンなどのポリオレフィンは、太陽電池用の封入材として利用できる。特定のポリエチレンの体積抵抗率（−４０〜９０℃の温度範囲にわたって５×１０１３Ωｃｍを越える値を含む）は、分極化が抑制される太陽電池の前面、及び、後部表面上の電気絶縁性の両方に対して有益な影響を有する。それに伴って、効率を向上させると同時に性能仕様に適合することで、更なる改良が可能になる。
【００１５】
発明者らは、材料の複雑さ及び製造工程を低減し、構築コストを削減する光起電モジュール及び積層体構築物を更に開発した。電気絶縁体、複数の結合層、環境層、及び一部の後板ではハイブリッド型の封入材−接着材層が後板に含まれるような、多層後板を封入材に貼り付ける代わりに、特定の封入材と積層体の下側に単層フィルムとを含んだ積層体を用いて、光起電モジュールを構築することができる。この種の高度な積層体は、封入材を後板に春つける必要なしに、封入材と保護層との共押出しにより構築できる。保護層の単純化と構築の容易化とを組み合わせることによって、製造コストの大幅削減が可能になる。封入材と単層フィルムとの互換性もまた、コロナ処理及び血漿処理を含む表面処理技術によって改善され得る。
【００１６】
図１は光起電モジュール１００を示す。光起電モジュール１００は、光起電積層体１１０を、当該積層体１１０の外周１１２に延在するフレーム１２０で包囲することによって構築できる。積層体１１０は、相互接続できる光起電太陽電池１１６を多数含むことができる。いくつかの光起電モジュール１００を結合することによって、日光を電気エネルギーに変換する際に用いられるソーラーアレイ又はソーラーシステムを作成できる。
【００１７】
フレーム１２０は、積層体１１０の全ての面又はいくつかの面を包囲できる。フレーム１２０は積層体１１０の縁に沿って、全面的に、又は、所望により、空隙又は切欠きを伴って部分的に延在できる。フレーム１２０は、アルミニウム若しくはステンレス鋼などの金属、プラスチック、又はそれ以外に選択された任意の材料で構築できる。図２を参照すると、光起電モジュール１００の横断面が示されており、フレーム１２０は積層体１１０を受容し支持する切欠き１２２を具備し得る。
【００１８】
積層体１１０は、光起電太陽電池１１６と囲繞材及び支持材からなるいくつかの層とを含む構成要素を表す用語である。図３は、図１及び図２に示す積層体１１０の実施形態の詳細図を示す。図に示されるように、積層体１１０はいくつかの材料から構成できる。例示されている実施形態は、説明のみを目的としたものであり、実寸ではない。例示されている積層体１１０は、通常動作中に太陽の方を向くように配設された最上面１３０を有する。同様に、積層体１１０内の太陽電池１１６は上側面及び下側面を有し得る。ここで、上側面は１１７通常動作中に太陽の方を向き、下側面１１８は太陽とは逆方向に向いている。
【００１９】
積層体１１０は、透明なカバー層１３６を有していてもよい。カバー層１３６は、ガラス若しくはプラスチックなどの透明又は半透明の材料で構築できる。カバー層１３６は、反射防止材若しくはコーティングで処理、調合するか、又は、上面これらを塗布してもよい。それにより、カバー層１３６の表面又は全体における光子の減少を抑制し得る。
【００２０】
カバー層１３６の下は、前部、頂部、又は上側封入材層１４０であり得る。ある実施形態において、結合層又は接着材層１４２は、カバー層１３６と上側封入材層１４０との間に配設され得る。接着材層１４２は、均等に分布してもよいし、又は、カバー層と上側封入材層１３６、１４０との間に選択的に配設されていてもよい。接着材層は、任意のボンド、糊、添加材又は接着材であり得る。
【００２１】
上側封入材層１４０がその名称で呼ばれる理由は、太陽電池１１６の上面１１７よりも上側に配置されるためである。しかしながら、上側封入材層１４０は、複数の太陽電池１１６の間に存在する間隙に延在し、下側封入材層１５０に接触し得る。一部の構築物及び実施形態においては、下側封入材層１５０と結合し得る。この下側封入材層１５０は太陽電池１１６の下方に延在する。上側及び下側封入材層１４０、１５０は、太陽電池１１６を全面的に包囲して包含し得るため、太陽電池１１６がカバー層１３６及びシーリング層１６０から電気的に絶縁される。一部の実施形態において、下側接着材層１５８は、接着材層１４２に関して記載される特徴と同様の特徴を有し、下側封入材層１５０とシーリング層１６０との間に存在し得る。図４に例示されている実施形態に示すように、接着材層１４２、１５８は、省略し得る。この種の実施形態において、封入材層２４０、２５０は、周囲の構成要素と結合する上で必要な任意の特性を備え得る。特に明記しない限り、図４における参照番号は、数字が１００だけ増分していることを除き、図１〜３の構成要素と類似する構成要素を示す。
【００２２】
封入材層１４０、１５０は同一の材料から構成できるため、太陽電池１１６を一様に閉包できる。一部の実施形態においては、物理的に近接している封入材層１４０、１５０を加熱すると、混合又は溶着が引き起こされ、太陽電池１１６の周りに及び太陽電池１１６どうしの間に延在する単一の層が形成され得る。他の形態では、封入材層１４０及び１５０が、異なる材料から構成され得るが、その場合でも太陽電池１１６を完全に囲繞する。
【００２３】
封入材層１４０、１５０は、ポリエチレン又はポリプロピレンなどのポリオレフィン材料から形成できる。使用される封入材が、ポリエチレン又はプロピレンであるかそれとも他の任意のポリオレフィンかに関係なく、そのヤング係数は室温又はそれより高い温度にて１０ＭＰａ未満であり得る。ある実施形態において、封入材層１４０、１５０は通常の動作温度にて体積抵抗率が少なくとも５×１０１３Ωｃｍであり得る。そのような通常の動作温度は−４０℃〜９０℃の間であり得る。したがって、６０℃若しくは９０℃又は所望される他の任意の温度値にて、封入材の体積抵抗率は少なくとも５×１０１３Ωｃｍであり得る。上側封入材層１４０は、３００〜１２００ｎｍの間の光の各波長にて入力された光子の少なくとも６０％の通過が許容される十分な透明度を有し得る。下側封入材層１５０は、透明特性、色付き特性、高度な反射特性、又は実施形態に所望されるような他の光学特性若しくは反射特性を有し得る。ある実施形態は、色付き特性と高度な反射特性の組み合わせを有し得る。ある実施形態において封入材層１４０、１５０は、室温及びそれ以上の温度にてヤング係数が１０ＭＰａ未満であることにより特徴付けられる機械的剛性を有し得る。一部の実施形態において、封入材層１４０、１５０は、熱伝導性が少なくとも０．２Ｗ／（ｍ−Ｋ）であり得る。よって、ポリエチレンは典型的な材料として記載されているが、ポリオレフィン又は他の材料で上記若しくは同様の特性を有するものはいずれも、封入材としての役目を果たし得る。上側又は下側封入材層として使用できる材料の例については、２０１０年６月１８日に出願された米国特許出願第１２／８１８，９５９号明細書に記載されており、その内容全体は本明細書において参照により明示的に援用されている。
【００２４】
シーリング層１６０は、積層体１１０の他の層に環境保護を提供するのに十分な任意の単層の均質フィルムであり得る。シーリング層１６０は、水蒸気透過率が２４時間当たり４０ｇ／ｍ２未満であり得る。これは耐水性を有する水蒸気透過率として、本明細書に記載されており、任意の適切な材料で構築され得る。ある実施形態においては、例えば、フルオロポリマー、ポリビニリデンフルオライド、ポリテトラフルオロエチレン、ポリプロピレン、ポリフェニレンスルフィド、ポリエステル、ポリカーボネート、ポリアクリレート、ポリアミド又はポリフェニレンオキシドを実施形態で使用することができ、市場で入手可能なＴＥＦＬＯＮ（登録商標）又はＴＥＤＬＡＲ（登録商標）などの材料をも含まれる。単層（single-stratum）の層としての使用に適した他の任意の材料もまた使用できる。したがって、シーリング層１６０は環境保護層としての役目を果たし得る。均質な単層シーリング層１６０は、他の光起電モジュールの多層後板とは対照的に、一枚の膜又は単一の層であり得る。それ故、一部の実施形態において、シーリング層１６０は、下側封入材層１５０と積層体１１０の下部の周囲環境との間の唯一の層であり得る。一部の実施形態においてシーリング層１６０は、ガラス繊維層、又は、例えば、金属層若しくは導電充填剤を含有するポリマーであり得る熱伝導層であってもよい。
【００２５】
ある実施形態においては、シーリング層１６０を下側封入材層１５０と共押出しすることによって、製造の簡素化を可能にしている。下側封入材層１５０又はシーリング層１６０のいずれか一方は、その実施形態に所望される白又は黒色を有し得る。実施形態に適すれば、スペクトル内の任意の色を含む他の色を選択することができる。下側封入材層１５０は、実施形態において所望される１００〜８００マイクロメートルの厚さを有し得る。加えて、シーリング層１６０は、厚さが１００〜８００マイクロメートルの間であり得る。任意の組み合わせを使用して、実施形態に所望される対の全体的な厚さを生じ得る。
【００２６】
再び図１〜３を参照すると、下側封入材層１５０及びシーリング層１６０の組み合わせにより、太陽電池１１６の下側面１１８とシーリング層１６０の下側に触れる人との間の電気的絶縁を提供することができる。太陽電池１１６が１，０００ボルトもの電位で動作することから、光起電モジュール１００のある実施形態は、モジュールの下側に安全に物理的接触することを要求する仕様に準拠するために、このような条件下で、封入材／シーリング層の組み合わせにより、１０マイクロアンペア未満の電流を許容するよう十分に絶縁し得る。あるいは、太陽電池１１６が１，５００Ｖで作動中に、組み合わせは、２５マイクロアンペア未満の電流を許容するよう十分電気的に絶縁し得る。同様に、太陽電池１１６の下側表面１１８に３０００ボルトの連続電圧が少なくとも１分間存在する場合、下側封入材層１５０及びシーリング層１６０の組み合わせ構造は、５０マイクロアンペアを超えるリーク電流の通過を抑制することができる。
【００２７】
ある実施形態において、太陽電池１１６は、バックコンタクト型及び／又は裏面接合型の太陽電池であってもよい。図５は、光起電積層体３１０の別の実施形態の詳細図を示す。特に明記しない限り、図５における数字標識は、数字が２００だけ増分していることを除き、図１〜３の構成要素と類似する構成要素を示す。図５は、バックコンタクト型の太陽電池の表面構造部３１９を強調する目的で、太陽電池３１６の下側表面３１８を誇張して示した図面である。図示されるように、下側封入材層３５０は、太陽電池３１６の任意の構造部に延在し、太陽電池３１６の表面構造部３１９とシーリング層３６０との間の接触を阻害するよう十分な厚さであり得る。特定の動作電位、例えば１，０００ボルトにおけるシーリング層３６０の表面と太陽電池３１６の下側表面３１８との間の電流が、光起電モジュールに所望される特徴又は要件である実施形態において、下側封入材層３５０は、所望の電気的絶縁が提供される十分な厚さであり得る。
【００２８】
少なくとも１つの例示的実施形態が、上述の発明を実施するための形態で提示されてきたが、莫大な数の変型が存在することを認識するべきである。本明細書に記載する例示的実施形態は、特許請求される主題の範囲、適用性、又は、構成を限定する意図が全くないこともまた、認識するべきである。むしろ、上述の発明を実施するための形態は、当業者に、説明される実施形態を実施するための簡便な指針を提供するものである。本特許出願が出願される時点での、既知の等価物、及び予見可能な均等物を含む、特許請求の範囲によって規定される範囲から逸脱することなく、諸要素の機能及び配置に、様々な変更が実施可能であることを理解するべきである。
【図１】
2014526142.tif 000003
【図２】
2014526142.tif 000004
【図３】
2014526142.tif 000005
【図４】
2014526142.tif 000006
【図５】
2014526142.tif 000007
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
通常動作中に太陽の方を向く第１の面、及び第２の面を有する光起電モジュールであって、前記光起電モジュールは、
外周フレームと、
前記外周フレームによって少なくとも部分的に囲繞されかつ支持された光起電積層体と、を備え、
前記光起電積層体は、
前記光起電モジュールの前記第１の面に向かって配置された透明なカバー層と、
前記カバー層の下にあって前記カバー層に付着する上側封入材層と、
前記上側封入材層の下にあって電気的に相互接続されている複数の光起電太陽電池と、
前記複数の光起電太陽電池の下にある下側封入材層と、
均質な後部環境保護層と、を有し、
前記上側封入材層及び前記下側封入材層は、前記複数の光起電太陽電池を囲繞し、
前記後部環境保護層は、前記下側封入材層に付着し、前記光起電モジュールの前記第２の面側の周囲環境に露出される、光起電モジュール。
【請求項２】
前記後部環境保護層を形成する材料が、フルオロポリマー、ポリビニリデンフルオライド、ポリカーボネート、ポリエステル、ポリプロピレン、ポリフェニレンスルフィド、ポリフェニレンオキシド、ポリアクリレート、ポリアミド、及び、ポリテトラフルオロエチレンからなる群から選択される、請求項１に記載の光起電モジュール。
【請求項３】
前記下側封入材層の体積抵抗率が５０℃にて少なくとも５×１０１３Ωｃｍである、請求項１又は２に記載の光起電モジュール。
【請求項４】
前記下側封入材層が白色を有する、請求項１から３の何れか一項に記載の光起電モジュール。
【請求項５】
前記下側封入材層が少なくとも部分的にポリエチレンで構成される、請求項３に記載の光起電モジュール。
【請求項６】
前記下側封入材層が少なくとも部分的にポリオレフィンで構成される、請求項３に記載の光起電モジュール。
【請求項７】
前記複数の光起電太陽電池がバックコンタクト型の太陽電池を含む、請求項１から６の何れか一項に記載の光起電モジュール。
【請求項８】
前記下側封入材層の厚さが６５０マイクロメートル未満である、請求項１から７の何れか一項に記載の光起電モジュール。
【請求項９】
前記後部環境保護層の厚さが４００マイクロメートル未満である、請求項１から８の何れか一項に記載の光起電モジュール。
【請求項１０】
前記カバー層が反射防止コーティングを含む、請求項１から９の何れか一項に記載の光起電モジュール。
【手続補正２】
【補正対象書類名】明細書
【補正対象項目名】００２８
【補正方法】変更
【補正の内容】
【００２８】
少なくとも１つの例示的実施形態が、上述の発明を実施するための形態で提示されてきたが、莫大な数の変型が存在することを認識するべきである。本明細書に記載する例示的実施形態は、特許請求される主題の範囲、適用性、又は、構成を限定する意図が全くないこともまた、認識するべきである。むしろ、上述の発明を実施するための形態は、当業者に、説明される実施形態を実施するための簡便な指針を提供するものである。本特許出願が出願される時点での、既知の等価物、及び予見可能な均等物を含む、特許請求の範囲によって規定される範囲から逸脱することなく、諸要素の機能及び配置に、様々な変更が実施可能であることを理解するべきである。
（項目１）
通常動作中に太陽の方を向く第１の面、及び第２の面を有する光起電モジュールであって、上記光起電モジュールは、
外周フレームと、
上記外周フレームによって少なくとも部分的に囲繞されかつ支持された光起電積層体と、を備え、
上記光起電積層体は、
上記光起電モジュールの上記第１の面に向かって配置された透明なカバー層と、
上記カバー層の下にあって上記カバー層に付着する上側封入材層と、
上記上側封入材層の下にあって電気的に相互接続されている複数の光起電太陽電池と、
上記複数の光起電太陽電池の下にある下側封入材層と、
均質な後部環境保護層と、を有し、
上記上側封入材層及び上記下側封入材層は、上記複数の光起電太陽電池を囲繞し、
上記後部環境保護層は、上記下側封入材層に付着し、上記光起電モジュールの上記第２の面側の周囲環境に露出される、光起電モジュール。
（項目２）
上記後部環境保護層を形成する材料が、フルオロポリマー、ポリビニリデンフルオライド、ポリカーボネート、ポリエステル、ポリプロピレン、ポリフェニレンスルフィド、ポリフェニレンオキシド、ポリアクリレート、ポリアミド、及び、ポリテトラフルオロエチレンからなる群から選択される、項目１に記載の光起電モジュール。
（項目３）
上記下側封入材層の体積抵抗率が５０℃にて少なくとも５×１０１３Ωｃｍである、項目１に記載の光起電モジュール。
（項目４）
上記下側封入材層が白色を有する、項目１に記載の光起電モジュール。
（項目５）
上記下側封入材層が少なくとも部分的にポリエチレンで構成される、項目３に記載の光起電モジュール。
（項目６）
上記下側封入材層が少なくとも部分的にポリオレフィンで構成される、項目３に記載の光起電モジュール。
（項目７）
上記複数の光起電太陽電池がバックコンタクト型の太陽電池を含む、項目１に記載の光起電モジュール。
（項目８）
上記下側封入材層の厚さが６５０マイクロメートル未満である、項目１に記載の光起電モジュール。
（項目９）
上記後部環境保護層の厚さが４００マイクロメートル未満である、項目１に記載の光起電モジュール。
（項目１０）
上記カバー層が反射防止コーティングを含む、項目１に記載の光起電モジュール。
（項目１１）
それぞれの上面が通常動作中に太陽の方を向き、下面が太陽とは反対方向に向く、複数の光起電太陽電池と、
上記複数の光起電太陽電池を包囲し囲繞している封入材層であって、上記複数の光起電太陽電池における間隙に延在する上記封入材層と、
上記複数の光起電太陽電池の上記上面よりも上側であって、上記封入材層上に配設され、上記封入材層に付着する透明なカバー層と、
上記複数の光起電太陽電池の上記下面の下側であって、上記封入材層の下に配設される単層シーリング層と、を備え、
上記単層シーリング層の内面に上記封入材層が付着し、上記単層シーリングの外面は、周囲環境に露出する、光起電積層体。
（項目１２）
上記単層シーリング層が耐水性を有する、項目１１に記載の光起電積層体。
（項目１３）
上記封入材層が、５０℃にて５×１０１３を超える体積抵抗率を有する、項目１１に記載の光起電積層体。
（項目１４）
上記封入材層及び上記単層シーリングを組み合わせて、上記複数の光起電太陽電池の上記下面と上記単層シーリングの上記外面との間の電位差が少なくとも１，０００ボルトである場合の、上記複数の光起電太陽電池の上記下面と上記シーリング層の上記外面との間に流れる電流を、１０マイクロアンペア未満にする、項目１１に記載の光起電積層体。
（項目１５）
上記単層シーリング及び上記封入材層の少なくとも一部が共押出しによって形成される、項目１１に記載の光起電積層体。
（項目１６）
上記単層シーリング層と上記封入材層との間に結合層を更に備える、項目１１に記載の光起電積層体。
（項目１７）
上記複数の光起電太陽電池の上記下面と上記単層シーリング層の上記外面との間に配設された上記封入材層の全体の厚さが、６００マイクロメートル未満である、項目１１に記載の光起電積層体。
（項目１８）
光起電積層体の後板であって、
上記後板が
均質な封入材層と、
均質な外部層と、
を備え、
上記封入材層及び外部層は共押出しによって一緒に形成され、上記封入材層は上記外部層に付着し、
上記封入材層の抵抗率は５０℃にて少なくとも５×１０１３であり、
上記外部層は耐水性を有し、
上記封入材層の厚さは、少なくとも４００マイクロメートルであり、
上記後板の全体的な厚さは、４００マイクロメートル未満である、後板。
（項目１９）
上記封入材層が、ポリオレフィン、エチレンビニルアセテート及びシリコーンからなる群から選択される材料から構成される、項目１８に記載の後板。
（項目２０）
上記外部層の熱定数が少なくとも０．２Ｗ／（ｍ−Ｋ）である、項目１８に記載の後板。
【国際調査報告】
2014526142.tif 000008
2014526142.tif 000009
2014526142.tif 000010